(57)【要約】【課題】容易に再利用でき衝撃緩衝および固定保持を同時に実現する。【解決手段】コンテナ用緩衝部材は、コンテナの格納部に挿入され、当該格納部内に格納された梱包物を衝撃緩衝しつつ固定保持するためのコンテナ用緩衝部材であって、格納部と嵌合可能な形状の外周端部を有する可撓性および弾性を備えた板状部材からなり、当該板状部材は、格納部の内壁面が形成する内周寸法よりも外周端部のうちの少なくとも一部が外側に突出するように形成された締めしろ部を備えてなる。【選択図】        図１
2007076654.tif 000002
【特許請求の範囲】
【請求項１】
コンテナの格納部に挿入され、当該格納部内に格納された梱包物を衝撃緩衝しつつ固定保持するためのコンテナ用緩衝部材であって、
前記格納部と嵌合可能な形状の外周端部を有する可撓性および弾性を備えた板状部材からなり、
当該板状部材は、
前記格納部の内壁面が形成する内周寸法よりも前記外周端部のうちの少なくとも一部が外側に突出するように形成された締めしろ部を備えてなることを特徴とするコンテナ用緩衝部材。
【請求項２】
前記板状部材は、
前記格納部に挿入された際に、少なくとも前記締めしろ部が前記内壁面と当接し当該内壁面を押圧して位置保持するとともに、板面が前記梱包物を前記板状部材の厚さ方向に押圧して固定保持することを特徴とする請求項１に記載のコンテナ用緩衝部材。
【請求項３】
前記板状部材は、
前記内壁面によって形成された矩形状の前記内周寸法および開口部を有する前記格納部と嵌合可能な矩形状の前記外周端部を有し、
前記締めしろ部は、
当該外周端部のうちの少なくとも一対の対向辺上から外側に突出するように形成されていることを特徴とする請求項１または２に記載のコンテナ用緩衝部材。
【請求項４】
前記締めしろ部は、
前記一対の対向辺上に複数形成されていることを特徴とする請求項３に記載のコンテナ用緩衝部材。
【請求項５】
前記締めしろ部は、
前記板面に沿った方向の断面が半円状となるように形成されていることを特徴とする請求項３または４に記載のコンテナ用緩衝部材。
【請求項６】
前記板状部材は、
厚さ略２０ｍｍで発泡率略３０倍〜略４０倍のポリエチレン、ポリプロピレンおよびポリエステルのうちいずれか一つによって形成されていることを特徴とする請求項１〜５のいずれか一つに記載のコンテナ用緩衝部材。
【請求項７】
前記締めしろ部は、
前記外周端部から外側に最大略４ｍｍ突出するように形成されていることを特徴とする請求項６に記載のコンテナ用緩衝部材。
【請求項８】
前記締めしろ部は、
略７．５Ｒの半径を有する半円状に形成されていることを特徴とする請求項７に記載のコンテナ用緩衝部材。
【請求項９】
前記板状部材は、
前記格納部に複数挿入され、前記板面が前記梱包物を前記厚さ方向に上方および下方から押圧して固定保持することを特徴とする請求項２〜８のいずれか一つに記載のコンテナ用緩衝部材。
【発明の詳細な説明】
【技術分野】
【０００１】
本発明は、コンテナなどの格納部における衝撃緩衝に用いられるコンテナ用緩衝部材に関し、特に再利用のための加工が不要で格納部内の梱包物に対する衝撃の緩衝および梱包物の固定保持を両立して実現するコンテナ用緩衝部材に関する。
【背景技術】
【０００２】
近年、コンテナなどの格納部における衝撃緩衝用の緩衝部材としては、例えば発泡スチロール材などの廃棄焼却により有害となる材料からなる緩衝部材に代えて、再利用し易く対環境性が良好な材料の段ボール材からなる緩衝部材が多く用いられている。
【０００３】
このような緩衝部材は、例えば次のように構成されている。すなわち、緩衝部材は、段ボール紙製の凹状に形成した下緩衝部材と、一枚の段ボールシートを折り曲げた上緩衝部材と、外装箱とから構成され、容易に組み立てることができ、強度が強く廃棄焼却が可能で有毒ガスを発生することがない構成とされている（例えば、特許文献１参照。）。
【０００４】
また、このような緩衝部材は、一枚の段ボールシートを折り曲げて、Ｌ字状に形成した緩衝部材を外装箱の底部の左右と天部の左右との四箇所に備え、容易に組み立てられ強度が強く廃棄焼却が可能で有毒ガスを発生せず対環境性が良好な構成とされている（例えば、特許文献２参照。）。
【０００５】
また、このような緩衝部材は、段ボール紙製の板紙に折り線と切離し線とを設けて、所定の方向に段ボール紙の筋目が配設できるように構成して、板状部とその三側縁部にコの字状に連接される断面三角形の緩衝部を設けることで、被包装品（梱包物）の両側肩部にあてがって被包装品と外装箱との間の衝撃緩衝をおこなうことができる構成とされている（例えば、特許文献３参照。）。
【０００６】
【特許文献１】特開２００２−１４５３３９号公報
【特許文献２】特開２００３−２００３１号公報
【特許文献３】実開平５−８２８６５号公報
【発明の開示】
【発明が解決しようとする課題】
【０００７】
しかしながら、上記従来技術の緩衝部材では、例えば材料が段ボール材からなる構造のため、衝撃緩衝機能を発揮させるためには所定の形状に組み立てたり、形状の異なる複数の緩衝部材を組み合わせて使用したりする必要があり、組立工数などが増加して結果的にコストが増大してしまう場合がある。
【０００８】
また、上記従来技術の緩衝部材では、例えば梱包物の形状ごとに異なる形状で組み立ててから使用される構造であるため、再利用するためには一旦緩衝部材を裁断するなどして再度段ボール材を製造する工程から始めなければならず、結果的にリサイクルするためには相応のコストがかかってしまうという問題がある。
【０００９】
本発明は、上記課題を解決するためになされたもので、容易に再利用することができ梱包物に対する衝撃の緩衝および梱包物の固定保持を同時に実現することができるコンテナ用緩衝部材を提供することを目的とする。
【課題を解決するための手段】
【００１０】
上記課題を解決するために、本発明にかかるコンテナ用緩衝部材は、コンテナの格納部に挿入され、当該格納部内に格納された梱包物を衝撃緩衝しつつ固定保持するためのコンテナ用緩衝部材であって、前記格納部と嵌合可能な形状の外周端部を有する可撓性および弾性を備えた板状部材からなり、当該板状部材は、前記格納部の内壁面が形成する内周寸法よりも前記外周端部のうちの少なくとも一部が外側に突出するように形成された締めしろ部を備えてなることを特徴とする。
【００１１】
本発明のコンテナ用緩衝部材によれば、コンテナの格納部と嵌合可能な外周端部を有し、格納部の内壁面が形成する内周寸法よりも外周端部のうちの少なくとも一部が外側に突出する締めしろ部を備える可撓性および弾性を有する板状部材によって構成される。このため、緩衝部材の組立作業を不要とすることができるとともに、格納部に挿入するだけで格納された梱包物に対する衝撃緩衝と梱包物の固定保持とを実現することができる。
【００１２】
また、本発明のコンテナ用緩衝部材の前記板状部材は、前記格納部に挿入された際に、少なくとも前記締めしろ部が前記内壁面と当接し当該内壁面を押圧して位置保持するとともに、板面が前記梱包物を前記板状部材の厚さ方向に押圧して固定保持することを特徴とする。
【００１３】
このため、締めしろ部によって緩衝部材自体が格納部内で位置保持されるとともに、緩衝部材の板面によって梱包物が格納部内で固定保持される。これにより、格納部内の梱包物を衝撃から保護するための緩衝部材および格納部内の梱包物を固定保持するための保持部材の機能を両立させることができる。
【００１４】
また、本発明のコンテナ用緩衝部材の前記板状部材は、前記内壁面によって形成された矩形状の前記内周寸法および開口部を有する前記格納部と嵌合可能な矩形状の前記外周端部を有し、前記締めしろ部は、当該外周端部のうちの少なくとも一対の対向辺上から外側に突出するように形成されていることを特徴とする。
【００１５】
このため、緩衝部材を格納部内に挿入した場合、矩形状の内周寸法および開口部を有する格納部の内壁面と矩形状の外周端部とがほぼ隙間なく嵌合し、締めしろ部が内壁面を押圧する。これにより、格納部内へ緩衝部材を挿入する際の挿入抵抗感を少なくして作業性を向上させ、確実に梱包物を格納部内で固定保持することができる。
【００１６】
また、本発明のコンテナ用緩衝部材の前記締めしろ部は、前記一対の対向辺上に複数形成されていることを特徴とする。
【００１７】
このため、格納部内へ緩衝部材を挿入する際の操作抵抗を極力少なくしつつ確実に締めしろ部によって内壁面を押圧することができる。これにより、挿入抵抗感をできるだけ少なくして作業性を良好にしながら梱包物の格納部内における確実な固定保持を図ることができる。
【００１８】
また、本発明のコンテナ用緩衝部材の前記締めしろ部は、前記板面に沿った方向の断面が半円状となるように形成されていることを特徴とする。
【００１９】
このため、格納部内へ緩衝部材を挿入する際の操作抵抗のさらなる減少を図りつつ内壁面と締めしろ部との接触面積をできるだけ小さくして押圧することができる。これにより、挿入抵抗感を極力少なくして作業性の向上を図ることができる。
【００２０】
また、本発明のコンテナ用緩衝部材の前記板状部材は、厚さ略２０ｍｍで発泡率略３０倍〜略４０倍のポリエチレン、ポリプロピレンおよびポリエステルのうちいずれか一つによって形成されていることを特徴とする。
【００２１】
このため、衝撃緩衝や固定保持のための十分な可撓性および弾性を備えつつ安価に緩衝部材を構成することができる。これにより、コスト低減を図りつつ確実に位置保持および固定保持をおこなうことができる。
【００２２】
また、本発明のコンテナ用緩衝部材の前記締めしろ部は、前記外周端部から外側に最大略４ｍｍ突出するように形成されていることを特徴とする。
【００２３】
このため、格納部内へ緩衝部材を挿入する際の操作抵抗を極力少なくすることができる。これにより、挿入抵抗感を少なくして作業性を良好にすることができる。
【００２４】
また、本発明のコンテナ用緩衝部材の前記締めしろ部は、略７．５Ｒの半径を有する半円状に形成されていることを特徴とする。
【００２５】
このため、格納部内へ緩衝部材を挿入する際の操作抵抗のさらなる低減を図りつつ締めしろ部によって内壁面を良好に押圧することができる。これにより、挿入抵抗感を少なくして作業性の向上を図ることができる。
【００２６】
また、本発明のコンテナ用緩衝部材の前記板状部材は、前記格納部に複数挿入され、前記板面が前記梱包物を前記厚さ方向に上方および下方から押圧して固定保持することを特徴とする。
【００２７】
このため、複数の緩衝部材の板面によって梱包物が上方および下方から押圧され格納部内で固定保持される。これにより、格納部内の梱包物をより確実に衝撃から保護することができるとともに、固定保持することが可能となる。
【発明を実施するための最良の形態】
【００２８】
以下に添付図面を参照して、本発明にかかるコンテナ用緩衝部材の好適な実施の形態を詳細に説明する。
【００２９】
図１は、本実施の形態におけるコンテナ用緩衝部材とこの緩衝部材が挿入されるコンテナとの外観を示す外観斜視図である。また、図２は、本実施の形態におけるコンテナ用緩衝部材をコンテナに挿入した状態を示す上面図である。また、図３は、図２のＡ−Ａ断面図である。また、図４は、図２のＢ−Ｂ断面図である。
【００３０】
図１に示すように、コンテナ用緩衝部材１００は、例えば品物の輸送用のパタコンなどのコンテナ１５０の格納部１５１に挿入され、この格納部１５１内に格納された梱包物（図示せず）に対する衝撃を緩衝するとともに、梱包物を固定保持するために用いられる。このコンテナ用緩衝部材１００が挿入されるコンテナ１５０は、例えば次のような構造を備えている。
【００３１】
すなわち、コンテナ１５０は、例えば格納部１５１の内壁面１５２ａ〜１５２ｄによって囲まれた内周形状を備える矩形状の開口部を有し、この格納部１５１は、側壁部１５３ａ〜１５３ｄ、蓋部１５４ａ，１５４ｂおよび底壁部１５５によって囲まれた空間により構成されている。蓋部１５４ａ，１５４ｂは、例えば側壁部１５３ｂ，１５３ｄの開口部側の端部で、ヒンジ部１５６を介してそれぞれ回動可能に接続されている。
【００３２】
これら蓋部１５４ａ，１５４ｂは、コンテナ１５０を運搬する際には、格納部１５１の開口部を覆うように機能する。そして、このコンテナ１５０は、例えば格納部１５１内に梱包物がない場合は、各側壁部１５３ａ〜１５３ｄを折り目１５７に沿って折り畳むことによりサイズダウンして運搬が可能な構造を備えている。
【００３３】
コンテナ用緩衝部材１００は、ここでは、このようなコンテナ１５０の格納部１５１と嵌合可能な四つの辺部１０１ａ〜１０１ｄによって構成される矩形状の外周端部を有する可撓性および弾性を備えた板状部材によって構成されている。また、コンテナ用緩衝部材１００の外周端部のうちの少なくとも一部は、格納部１５１の内壁面１５２ａ〜１５２ｄが形成する内周寸法よりも外側に突出するように形成され、後述する締めしろ部として機能する。
【００３４】
この例のコンテナ用緩衝部材１００では、一例として辺部１０１ａ，１０１ｃが格納部１５１の内周寸法よりも僅かに外側に突出することによって、締めしろ部として機能している。なお、外側への突出量は、具体的には、格納部１５１の内壁面１５２ａ，１５２ｃから約２ｍｍずつ、合わせて最大で約４ｍｍ程度突出するように設定されるとよい。そして、このコンテナ用緩衝部材１００は、例えば発泡率が約３０倍〜約４０倍、好適には３８倍のポリエチレン、ポリプロピレンあるいはポリエステルなどの材料からなり、その厚さは約２０ｍｍ程度で形成されている。
【００３５】
なお、コンテナ用緩衝部材１００には、格納部１５１への挿入時に操作者の指などが挿入されてコンテナ用緩衝部材１００を把持するとともに、格納部１５１内の空気をコンテナ１５０の外部へ導くための空気抜きとしても機能する貫通穴１０２がその厚さ方向に複数穿設されている。
【００３６】
図２に示すように、このように構成されたコンテナ用緩衝部材１００を、コンテナ１５０の格納部１５１（図１参照、以下同じ）に格納された梱包物２０１ａ，２０１ｂを覆って固定するように開口部側から格納部１５１内に挿入すると、コンテナ用緩衝部材１００が格納部１５１にほぼぴったりと嵌った状態で各辺部１０１ａ〜１０１ｄと各内壁面１５２ａ〜１５２ｄとが当接する。
【００３７】
この場合、格納部１５１の内部においては、図３に示すように、例えばコンテナ用緩衝部材１００の締めしろ部として機能する辺部１０１ａ，１０１ｃが、コンテナ１５０の側壁部１５３ａ，１５３ｃの内壁面１５２ａ，１５２ｃを図中矢印で示す外側方向に押圧する。同時に、コンテナ用緩衝部材１００の下方板面１０３が梱包物２０１ａ，２０１ｂを図中矢印で示す底壁部１５５方向に押圧する。
【００３８】
なお、コンテナ１５０の格納部１５１内において梱包物２０１ａ，２０１ｂが存在しない部分については、例えば図３に示すように、コンテナ用緩衝部材１００が底壁部１５５方向に撓むことによって不要な空間を潰し、輸送の際に梱包物２０１ａ，２０１ｂが格納部１５１内で移動してしまうことを防止する。
【００３９】
一方、図４に示すように、コンテナ用緩衝部材１００の締めしろ部として機能していない辺部１０１ｂ，１０１ｄは、コンテナ１５０の側壁部１５３ｂ，１５３ｄの内壁面１５２ｂ，１５２ｄと当接するとともに、当接箇所によっては、内壁面１５２ｂ，１５２ｄを図中矢印で示す外側方向に押圧する。コンテナ用緩衝部材１００の下方板面１０３は、上述したように梱包物２０１ａ，２０１ｂを図中矢印で示す底壁部１５５方向に押圧する。
【００４０】
なお、例えば梱包物２０１ａ，２０２ｂの高さがそれぞれ異なる場合であっても、コンテナ用緩衝部材１００は可撓性および弾性を備えるため、下方板面１０３が各梱包物２０１ａ、２０１ｂと適切に当接するように撓んで、各梱包物２０１ａ，２０１ｂを底壁部１５５方向に押圧する。
【００４１】
このように、このコンテナ用緩衝部材１００によれば、締めしろ部として機能する辺部１０１ａ，１０１ｃが内壁面１５２ａ，１５２ｃを押圧することで、コンテナ用緩衝部材１００自体がコンテナ１５０の格納部１５１内において位置保持される。同時に、コンテナ用緩衝部材１００の下方板面１０３が梱包物２０１ａ，２０１ｂを底壁部１５５方向に押圧することで、格納部１５１内において各梱包物２０１ａ，２０１ｂを固定保持する。
【００４２】
したがって、このコンテナ用緩衝部材１００によれば、コンテナ１５０の格納部１５１内に格納した梱包物２０１ａ，２０１ｂを衝撃から保護するための緩衝部材としての役割と、梱包物２０１ａ，２０１ｂを格納部１５１内に固定保持するための保持部材としての役割とを両立して実現することができる。
【００４３】
なお、このコンテナ用緩衝部材１００は、上述したようにポリエチレン、ポリプロピレンあるいはポリエステルなどの材料からなるため、安価に製造することができる。また、このコンテナ用緩衝部材１００は、厚さが略２０ｍｍで形成されているため、梱包物２０１ａ，２０１ｂの運搬を終えてコンテナ１５０を折り畳んだ際に、このコンテナ１５０内に格納した状態で運搬することが可能となる。
【００４４】
このため、このコンテナ用緩衝部材１００は、紙資源である段ボール材からなる従来の緩衝部材のように廃棄焼却などによって廃棄処分せずに何度でも再利用することができ、かつ一旦製造してしまえば相当な回数の利用が可能であるため、紙資源を無駄にすることなく対環境性を良好にすることが可能となる。また、従来の緩衝部材のような組立作業を不要とすることができる。
【００４５】
図５は、本実施の形態におけるコンテナ用緩衝部材を複数コンテナに挿入した状態を示す断面図である。図５に示すように、コンテナ１５０の格納部１５１には、複数のコンテナ用緩衝部材１００ａ，１００ｂが挿入されている。これらコンテナ用緩衝部材１００ａ，１００ｂの間には、梱包物２０１ａ，２０１ｂが介在している。
【００４６】
コンテナ用緩衝部材１００ｂは、底壁部１５５とその下方板面１０３ｂとが接するように格納部１５１内に挿入されており、このコンテナ用緩衝部材１００ｂの上方板面１０４上に梱包物２０１ａ，２０１ｂが載置されている。また、コンテナ用緩衝部材１００ａは、下方板面１０３ａが梱包物２０１ａ，２０１ｂと当接し、これら梱包物２０１ａ，２０１ｂを覆うように格納部１５１内に挿入されている。
【００４７】
これらコンテナ用緩衝部材１００ａ，１００ｂは、上述したように可撓性および弾性を備えるため、例えば各梱包物２０１ａ，２０１ｂを図中矢印で示すように上方および下方から押圧する。このため、各梱包物２０１ａ，２０１ｂは、格納部１５１内においてさらに確実に固定保持される。
【００４８】
したがって、複数のコンテナ用緩衝部材１００ａ，１００ｂによって梱包物２０１ａ，２０１ｂを上方および下方から挟むように固定すれば、各梱包物２０１ａ，２０１ｂを確実に衝撃から保護することができるとともに、例えば形状が異なる様々な物品などを固定保持することが可能となる。なお、格納部１５１に挿入するコンテナ用緩衝部材の挿入数を増加すれば、格納部１５１内において物品を積み重ねて固定保持したり、階層構造で物品を固定保持したりすることも可能となる。
【００４９】
図６は、本実施の形態におけるコンテナ用緩衝部材の他の例を示す上面図である。なお、以降において、既に説明した部分と重複する箇所には同一の符号を附して説明を省略する。図６に示すように、コンテナ用緩衝部材１００Ａは、コンテナ１５０の格納部１５１（図１参照：以下同じ）と嵌合可能な上述したような四つの辺部１０１ａ〜１０１ｄによって構成される矩形状の外周端部を有する可撓性および弾性を備えた板状部材からなる。
【００５０】
また、このコンテナ用緩衝部材１００Ａは、一対の対向する辺部１０１ｂ，１０１ｄ上からそれぞれ外側に突出するように形成された複数の締めしろ部５０１ａ〜５０１ｄを備えてなる。各締めしろ部５０１ａ〜５０１ｄは、例えばそれぞれ板面に沿った方向の断面が略７．５Ｒの半径を有し外側に最大約４ｍｍ突出した半円状となるように形成されている。このような形状により、ある程度の面圧を保った状態で内壁面１５２ｂ，１５２ｄ（図２参照：以下同じ）を押圧することができる。その他の部分については上記コンテナ用緩衝部材１００とほぼ同様であるため、ここでは説明を省略する。
【００５１】
このように構成されたコンテナ用緩衝部材１００Ａでは、コンテナ１５０の格納部１５１内に挿入した場合、コンテナ用緩衝部材１００Ａが格納部１５１にほぼぴったりと嵌った状態で各辺部１０１ａ〜１０１ｄと各内壁面１５２ａ〜１５２ｄ（図２参照：以下同じ）とが当接するとともに、各締めしろ部５０１ａ〜５０１ｄが変形しつつ内壁面１５２ｂ，１５２ｄと当接し、これら内壁面１５２ｂ，１５２ｄを特に強く押圧する。
【００５２】
このため、このコンテナ用緩衝部材１００Ａによれば、上記コンテナ用緩衝部材１００と同様に、コンテナ用緩衝部材１００Ａ自体がコンテナ１５０の格納部１５１内において位置保持されるとともに、格納部１５１内において梱包物２０１ａ，２０１ｂ（図２参照：以下同じ）を固定保持する。これにより、格納した梱包物２０１ａ，２０１ｂに対する緩衝部材としての役割と保持部材としての役割とを両立して実現することができる。
【００５３】
なお、コンテナ用緩衝部材１００Ａの締めしろ部５０１ａ〜５０１ｄは、例えば辺部１０１ｂ，１０１ｄ上にそれぞれ少なくとも一つ設けられていたり、一対の対向する他の辺部１０１ａ，１０１ｃ上にそれぞれ設けられていてもよい。また、各締めしろ部５０１ａ〜５０１ｄは、半円状のみならず、台形状や凸状などの形状によって形成されていてもよい。
【００５４】
図７は、本実施の形態におけるコンテナ用緩衝部材のさらに他の例を示す上面図である。図７に示すように、コンテナ用緩衝部材１００Ｂは、コンテナ１５０の格納部１５１と嵌合可能な四つの辺部１０１ａ〜１０１ｄによって構成される矩形状の外周端部を有する可撓性および弾性を備えた板状部材からなり、各辺部１０１ａ〜１０１ｄ上にはそれぞれ外側に突出するように形成された複数の締めしろ部５０１ａ〜５０１ｈが設けられている。
【００５５】
このコンテナ用緩衝部材１００Ｂの各締めしろ部５０１ａ〜５０１ｈの構成は、上記コンテナ用緩衝部材１００Ａにおける締めしろ部５０１ａ〜５０１ｄと同様であるため、ここでは説明を省略する。また、その他の部分については上記コンテナ用緩衝部材１００，１００Ａとほぼ同様であるため、ここでは説明を省略する。
【００５６】
このように構成されたコンテナ用緩衝部材１００Ｂでは、コンテナ１５０の格納部１５１内に挿入した場合、コンテナ用緩衝部材１００Ｂが格納部１５１にほぼぴったりと嵌った状態で各辺部１０１ａ〜１０１ｄと各内壁面１５２ａ〜１５２ｄとが当接するとともに、各締めしろ部５０１ａ〜５０１ｈが変形しつつ内壁面１５２ａ〜１５２ｄと当接し、これら内壁面１５２ａ〜１５２ｄを強く押圧する。
【００５７】
このため、このコンテナ用緩衝部材１００Ｂによれば、上記コンテナ用緩衝部材１００，１００Ａと同様に、コンテナ用緩衝部材１００Ｂ自体がコンテナ１５０の格納部１５１内において位置保持されるとともに、格納部１５１内において梱包物２０１ａ，２０１ｂに対する緩衝部材および保持部材の役割を同時に実現することが可能となる。
【００５８】
図８は、本実施の形態におけるコンテナ用緩衝部材のさらに他の例を示す上面図である。図８に示すように、コンテナ用緩衝部材１００Ｃは、コンテナ１５０の格納部１５１と嵌合可能な四つの辺部１０１ａ〜１０１ｄによって構成される矩形状の外周端部を有する可撓性および弾性を備えた板状部材からなり、各辺部１０１ａ〜１０１ｄ上にはそれぞれ外側に緩やかに突出するように形成された締めしろ部７０１ａ〜７０１ｄが設けられている。
【００５９】
このコンテナ用緩衝部材１００Ｃの各締めしろ部７０１ａ〜７０１ｄは、上述した締めしろ部５０１ａ〜５０１ｈと比べて内壁面１５２ａ〜１５２ｄとの接触面積が大きくなるように構成されている。また、緩やかに突出するように形成されているため、各内壁面１５２ａ〜１５２ｄに対して必要以上の面圧をもって押圧することはない。その他の部分については上記コンテナ用緩衝部材１００，１００Ａ，１００Ｂとほぼ同様であるため、ここでは説明を省略する。
【００６０】
このように構成されたコンテナ用緩衝部材１００Ｃでは、コンテナ１５０の格納部１５１内に挿入した場合、コンテナ用緩衝部材１００Ｃが格納部１５１にほぼぴったりと嵌った状態で各辺部１０１ａ〜１０１ｄと各内壁面１５２ａ〜１５２ｄとが当接するとともに、各締めしろ部７０１ａ〜７０１ｄが変形しつつ内壁面１５２ａ〜１５２ｄと当接してこれらを押圧する。
【００６１】
このため、このコンテナ用緩衝部材１００Ｃによれば、上記コンテナ用緩衝部材１００，１００Ａ，１００Ｂと同様に、コンテナ用緩衝部材１００Ｃ自体がコンテナ１５０の格納部１５１内において位置保持され、格納部１５１内において梱包物２０１ａ，２０１ｂに対する緩衝部材および保持部材の役割を同時に実現することができる。
【００６２】
なお、本実施の形態においては、矩形状の外周端部を有するコンテナ用緩衝部材について説明したが、この外周端部の形状は、コンテナの格納部の内壁面によって形成される内周形状如何によっては、例えば円形状であったりその他の形状であったりしてもよい。この場合においても、本発明のコンテナ用緩衝部材によれば、締めしろ部によって位置保持および固定保持の機能を実現することが可能となる。
【００６３】
以上説明したように、本発明の実施の形態のコンテナ用緩衝部材によれば、コンテナの格納部と嵌合可能な外周端部を有し、格納部の内壁面が形成する内周寸法よりも外周端部のうちの少なくとも一部が外側に突出する締めしろ部を備える可撓性および弾性を有する板状部材によって構成される。このため、緩衝部材の組立作業を不要とすることができるとともに、格納部に挿入するだけで格納された梱包物に対する衝撃緩衝と梱包物の固定保持とを実現することができる。
【００６４】
また、締めしろ部によって緩衝部材自体が格納部内で位置保持されるとともに、緩衝部材の板面によって梱包物が格納部内で固定保持されるため、格納部内の梱包物を衝撃から保護するための緩衝部材および格納部内の梱包物を固定保持するための保持部材の機能を両立させることができる。
【００６５】
また、締めしろ部が矩形状の外周端部の少なくとも一対の対向辺上から突出するため、緩衝部材を格納部内に挿入した場合、矩形状の内周寸法および開口部を有する格納部の内壁面と矩形状の外周端部とがほぼ隙間なく嵌合し、締めしろ部が内壁面を押圧することにより、格納部内へ緩衝部材を挿入する際の挿入抵抗感を少なくして作業性を向上させ、確実に梱包物を格納部内で固定保持することができる。
【００６６】
また、締めしろ部が一対の対向辺上に複数形成されているため、格納部内へ緩衝部材を挿入する際の操作抵抗を極力少なくしつつ確実に締めしろ部によって内壁面を押圧することができ、挿入抵抗感をできるだけ少なくして作業性を良好にしながら梱包物の格納部内における確実な固定保持を図ることができる。また、締めしろ部が板面に沿った方向の舵面が半円状となるように形成されているため、格納部内へ緩衝部材を挿入する際の操作抵抗のさらなる減少を図りつつ内壁面と締めしろ部との接触面積をできるだけ小さくして押圧することができ、挿入抵抗感を極力少なくして作業性の向上を図ることができる。
【００６７】
また、板状部材が厚さ略２０ｍｍで発泡率略３０倍〜略４０倍のポリエチレン、ポリプロピレンあるいはポリエステルなどによって形成されているため、衝撃緩衝や固定保持のための十分な可撓性および弾性を備えつつ安価に緩衝部材を構成することができ、コスト低減を図りつつ確実に位置保持および固定保持をおこなうことができる。
【００６８】
また、締めしろ部が最大略４ｍｍ突出するため、格納部内へ緩衝部材を挿入する際の操作抵抗を極力少なくすることができ、挿入抵抗感を少なくして作業性を良好にすることができる。また、締めしろ部が略７．５Ｒの半径を有する半円状であるため、格納部内へ緩衝部材を挿入する際の操作抵抗のさらなる低減を図りつつ締めしろ部によって内壁面を良好に押圧することができ、挿入抵抗感を少なくして作業性の向上を図ることができる。また、複数の緩衝部材の板面によって梱包物が上方および下方から押圧され格納部内で固定保持される。これにより、格納部内の梱包物をより確実に衝撃から保護することができるとともに、固定保持することが可能となる。
【図面の簡単な説明】
【００６９】
【図１】コンテナ用緩衝部材とコンテナとの外観を示す外観斜視図。
【図２】コンテナ用緩衝部材をコンテナに挿入した状態を示す上面図。
【図３】図２のＡ−Ａ断面図。
【図４】図２のＢ−Ｂ断面図。
【図５】コンテナ用緩衝部材を複数コンテナに挿入した状態を示す断面図。
【図６】コンテナ用緩衝部材の他の例を示す上面図。
【図７】コンテナ用緩衝部材のさらに他の例を示す上面図。
【図８】コンテナ用緩衝部材のさらに他の例を示す上面図。
【符号の説明】
【００７０】
１００，１００ａ，１００ｂ，１００Ａ，１００Ｂ，１００Ｃ  コンテナ用緩衝部材、１０１ａ〜１０１ｄ  辺部、１０２  貫通穴、１０３，１０３ａ，１０３ｂ  下方板面、１０４  上方板面、１５０  コンテナ、１５１  格納部、１５２ａ〜１５２ｄ  内壁面、１５３ａ〜１５３ｄ  側壁部、１５４ａ，１５４ｂ  蓋部、１５５  底壁部、１５６  ヒンジ部、１５７  折り目、５０１ａ〜５０１ｈ，７０１ａ〜７０１ｄ  締めしろ部
【図１】
2007076654.tif 000003
【図２】
2007076654.tif 000004
【図３】
2007076654.tif 000005
【図４】
2007076654.tif 000006
【図５】
2007076654.tif 000007
【図６】
2007076654.tif 000008
【図７】
2007076654.tif 000009
【図８】
2007076654.tif 000010